(57)【要約】【課題】弾性係止片の操作性の低下を回避しつつ、弾性係止片の耐久性を向上させることのできる折畳み容器を提供する。【解決手段】折畳み容器１は、平面視略矩形状をなす底壁部３と、底壁部３の各側辺部からそれぞれ上方に突出する長辺側土台部４、及び、短辺側土台部５とを具備する底壁構成部２と、各土台部４、５に回動可能に連結された長辺側側壁部６、及び、短辺側側壁部７とを備える。折畳み容器１を折畳み状態から組立状態とする場合、一対の短辺側側壁部７を起立位置とすることで、長辺側側壁部６を起立位置とさせることが可能となる。短辺側側壁部７は、その厚み方向において弾性変形可能に構成されるとともに、起立位置にある長辺側側壁部６の内面と当接可能な弾性係止片１７と、折畳み容器１の外方に向けて一定量の変形を行った弾性係止片１７と当接し、それ以上の変形を規制するストッパー部５３とを備える。【選択図】      図１２
2019189243.tif 000002
【特許請求の範囲】
【請求項１】
平面視略矩形状をなす底壁部、及び、前記底壁部の各側辺部に沿って設けられる土台部を具備する底壁構成部と、
前記底壁構成部の前記各土台部に対して、前記各土台部の上方に立設される起立位置と、前記底壁部の上方に寝かされる寝かせ位置との間を回動変位可能に連結された側壁部とを備え、
全ての前記側壁部が前記起立位置とされた組立状態と、全ての前記側壁部が前記寝かせ位置とされた折畳み状態とに状態変化可能な折畳み容器において、
前記土台部は、前記底壁部の相対する一対の側辺部からそれぞれ上方に突出する相対する一対の第１土台部と、前記第１土台部よりも高さが低く構成された相対する一対の第２土台部とを備え、
前記側壁部は、前記各第１土台部にそれぞれ連結される一対の第１側壁部と、前記各第２土台部にそれぞれ連結される一対の第２側壁部とを備え、
前記折畳み状態から前記組立状態とする場合に、前記一対の第１側壁部を前記起立位置とすることで、前記第２側壁部を前記起立位置とすることが可能な構成において、
前記第１側壁部は、
当該第１側壁部の厚み方向において弾性変形可能に構成されるとともに、前記組立状態において前記起立位置にある前記第２側壁部の内面と当接、又は、近接して、前記第２側壁部の折畳み容器の内方への変位を規制する弾性係止片と、
前記弾性係止片の折畳み容器の外方に配置され、折畳み容器の外方に向けて一定量の変形を行った前記弾性係止片と当接し、それ以上の変形を規制するストッパー部とを備えていることを特徴とする折畳み容器。
【請求項２】
前記ストッパー部は、前記弾性係止片の先端部側の外面と当接可能に設けられていることを特徴とする請求項１に記載の折畳み容器。
【請求項３】
前記第１側壁部の両側部には、前記第１側壁部の内面から突出する支持突部が設けられ、
前記弾性係止片と、前記ストッパー部との間の空間を前記第１側壁部の側方に開口させる開口部が設けられていることを特徴とする請求項１又は２に記載の折畳み容器。
【請求項４】
前記第１側壁部の厚み方向において、前記弾性係止片の先端部の少なくとも一部と、前記ストッパー部とが重複して配置されていることを特徴とする請求項１乃至３のいずれかに記載の折畳み容器。
【発明の詳細な説明】
【技術分野】
【０００１】
本発明は、物品の運搬等に使用される折畳み容器に関するものである。
【背景技術】
【０００２】
従来、平面視略矩形状をなす底壁部、及び、該底壁部の各側辺部に沿ってそれぞれ上方に突出する土台部を具備する底壁構成部と、各土台部に対して、各土台部の上方に立設される起立位置と、底壁部の上方に寝かされる寝かせ位置との間を回動変位可能に連結された側壁部とを備え、全ての側壁部が起立位置とされた組立状態と、全ての側壁部が寝かせ位置とされた折畳み状態とに状態変化可能な折畳み容器が知られている。
【０００３】
また、前記折畳み容器の側壁部は、相対する一対の第１側壁部と、相対する一対の第２側壁部とを備え、折畳み容器を折畳み状態から組立状態とする際に、一対の第１側壁部を先に起立位置としてからでないと、第２側壁部を起立位置とすることのできない構成となっている。さらに、第１側壁部の両側部には、第１側壁部の内面から突出し、折畳み容器の組立状態において、第２側壁部の外面と当接して第２側壁部の外方への変位を防止する支持突部が設けられている。加えて、折畳み容器の組立状態において、第２側壁部の内方への変位を防止するべく、第１側壁部に対し、当該第１側壁部の厚み方向において弾性変形可能に構成され、折畳み容器の組立状態において、第２側壁部の内面と当接する弾性係止片を設けるといった技術がある（例えば、特許文献１等参照。）。
【先行技術文献】
【特許文献】
【０００４】
【特許文献１】特開２００３−３３５３２９号公報
【発明の概要】
【発明が解決しようとする課題】
【０００５】
ところで、弾性係止片を操作する力（第２側壁部の内方への変位を規制するロック状態を解除する際に弾性係止片を押圧する力）は作業者によって異なる。このため、例えば、弾性係止片を強過ぎる力で操作してしまった場合には、弾性係止片が破損したり、塑性変形してしまったりすることが懸念される。その一方で、弾性係止片の裏面側に設ける補強リブの数を増やしたり、補強リブを厚くしたりすることで弾性係止片の強度を高めることも考えられるが、この場合、弾性係止片を操作し難くなってしまうことが懸念される。
【０００６】
本発明は、上記例示した問題点等を解決するためになされたものであって、その目的は、弾性係止片の操作性の低下を回避しつつ、弾性係止片の耐久性を向上させることのできる折畳み容器を提供することにある。
【課題を解決するための手段】
【０００７】
以下、上記目的等を解決するのに適した各手段につき項分けして説明する。なお、必要に応じて対応する手段に特有の作用効果等を付記する。
【０００８】
手段１．平面視略矩形状をなす底壁部、及び、前記底壁部の各側辺部に沿って設けられる土台部を具備する底壁構成部と、
前記底壁構成部の前記各土台部に対して、前記各土台部の上方に立設される起立位置と、前記底壁部の上方に寝かされる寝かせ位置との間を回動変位可能に連結された側壁部とを備え、
全ての前記側壁部が前記起立位置とされた組立状態と、全ての前記側壁部が前記寝かせ位置とされた折畳み状態とに状態変化可能な折畳み容器において、
前記土台部は、前記底壁部の相対する一対の側辺部からそれぞれ上方に突出する相対する一対の第１土台部と、前記第１土台部よりも高さが低く構成された相対する一対の第２土台部とを備え、
前記側壁部は、前記各第１土台部にそれぞれ連結される一対の第１側壁部と、前記各第２土台部にそれぞれ連結される一対の第２側壁部とを備え、
前記折畳み状態から前記組立状態とする場合に、前記一対の第１側壁部を前記起立位置とすることで、前記第２側壁部を前記起立位置とすることが可能な構成において、
前記第１側壁部は、
当該第１側壁部の厚み方向において弾性変形可能に構成されるとともに、前記組立状態において前記起立位置にある前記第２側壁部の内面と当接、又は、近接して、前記第２側壁部の折畳み容器の内方への変位を規制する弾性係止片と、
前記弾性係止片の折畳み容器の外方に配置され、折畳み容器の外方に向けて一定量の変形を行った前記弾性係止片と当接し、それ以上の変形を規制するストッパー部とを備えていることを特徴とする折畳み容器。
【０００９】
手段１によれば、ストッパー部により、弾性係止片の変形量が制限されることから、弾性係止片を比較的弾性変形させ易い強度にしつつも、弾性係止片を変形させ過ぎることに起因して弾性係止片が破損したり、塑性変形してしまったりすることを防止することができる。従って、弾性係止片の操作性の低下を回避しつつ、弾性係止片の耐久性を向上させることができる。結果として、弾性係止片を操作する作業者の力加減の強弱に関わらず、弾性係止片を比較的スムースに操作することができ、折畳み容器を折畳む際の作業性の向上等を図ることができる。
【００１０】
手段２．前記ストッパー部は、前記弾性係止片の先端部側の外面と当接可能に設けられていることを特徴とする手段１に記載の折畳み容器。
【００１１】
手段２によれば、弾性係止片の変形を効果的に防止することができる。つまり、ストッパー部が弾性係止片の外面の付根部側と当接可能に構成される場合のように、弾性係止片の付根部側の変形は規制できるものの、先端部側の変形が規制できないといった事態を回避することができる。さらに、弾性係止片の押圧操作は、弾性係止片の内面の先端部側が押圧されることが考えられることから、その裏面側の部位をストッパー部で支持することで、弾性係止片の変形をより効果的に規制することができる。
【００１２】
手段３．前記第１側壁部の両側部には、前記第１側壁部の内面から突出する支持突部が設けられ、
前記弾性係止片と、前記ストッパー部との間の空間を前記第１側壁部の側方に開口させる開口部が設けられていることを特徴とする手段１又は２に記載の折畳み容器。
【００１３】
手段３によれば、支持突部の外面側や、支持突部を貫通する孔部等を成形する金型によって、弾性係止片と、ストッパー部とが対向している部位（弾性係止片の外面の少なくとも一部、及び、ストッパー部の内面）を好適に成形することができる（支持突部の外面側等を成形する金型において、弾性係止片と、ストッパー部とが対向している部位を成形する部位を設けることができる）。従って、比較的簡単な金型構造でストッパー部を具備する第１側壁部を確実に形成することができる。
【００１４】
尚、「前記支持突部には、前記第１側壁部の横幅方向において貫通する係合孔部が設けられ、前記第２側壁部の外面側には、前記組立状態において前記支持突部の前記係合孔部に挿入される係合突起が設けられていること」としてもよい。
【００１５】
手段４．前記第１側壁部の厚み方向において、前記弾性係止片の先端部の少なくとも一部と、前記ストッパー部とが重複して配置されていることを特徴とする手段１乃至３のいずれかに記載の折畳み容器。
【００１６】
手段４によれば、第１側壁部の外面側から別の部材が弾性係止片の先端部に接触するといった事態を抑止することができる。従って、弾性係止片の保護を図ることができる。さらに、組立状態にある折畳み容器を折畳み状態とする際に、第２側壁部の折畳み容器の内方への変位を規制している弾性係止片のロック状態を解除するべく、当該弾性係止片を折畳み容器の外方に押圧操作する場合において、例えば、親指で弾性係止片を押圧操作する場合に、ストッパー部のうち弾性係止片と当接して支持可能な支持面とは反対側の裏面（外面）に対して、人差し指等を掛けることができる。これにより、弾性係止片を押圧操作し易くなり、折畳み容器の折畳み作業性の向上を図ることができる。
【図面の簡単な説明】
【００１７】
【図１】組立状態にある折畳み容器を上面側から見た斜視図である。
【図２】組立状態にある折畳み容器を下面側から見た斜視図である。
【図３】折畳み状態にある折畳み容器を上面側から見た斜視図である。
【図４】折畳み状態にある折畳み容器を下面側から見た斜視図である。
【図５】一方の短辺側側壁部が寝かせ位置にあり、他方の短辺側側壁部が起立位置にある状態の折畳み容器を示す斜視図である。
【図６】一方の短辺側側壁部が寝かせ位置にあり、他方の短辺側側壁部が起立位置にある状態の折畳み容器を示す平面図である。
【図７】一方の短辺側側壁部が寝かせ位置にあり、他方の短辺側側壁部が起立位置にある状態の折畳み容器を示す側面図である。
【図８】短辺側側壁部の外面側を示す斜視図である。
【図９】長辺側側壁部の外面側を示す斜視図である。
【図１０】短辺側側壁部を外面側から見た部分拡大側面図である。
【図１１】長辺側側壁部と、短辺側側壁部との連結部位を図１０のＡ−Ａ線の位置で切断した場合の部分拡大断面図である。
【図１２】組立状態にある折畳み容器の一部断面を含む部分拡大斜視図である。
【図１３】折畳み状態にある折畳み容器の断面図である。
【図１４】折畳み状態にある折畳み容器を段積みした状態を示す側面図である。
【図１５】組立状態にある折畳み容器に対し、折畳み状態にある折畳み容器を載せた状態を示す側面図である。
【図１６】短辺側側壁部を成形する金型を示す部分拡大断面図である。
【図１７】別の実施形態における折畳み状態にある折畳み容器を示す部分拡大平面図である。
【発明を実施するための形態】
【００１８】
以下に、一実施形態について図面を参照して説明する。図１、図２等に示すように、折畳み容器１は、平面視略矩形状をなす底壁部３と、底壁部３の各長辺部に沿って底壁部３からそれぞれ上方に突出する長辺側土台部４と、底壁部３の各短辺部に沿って底壁部３からそれぞれ上方に突出する短辺側土台部５とを具備する底壁構成部２を備えている。さらに、折畳み容器１は、各長辺側土台部４に対してそれぞれ回動可能に連結された長辺側側壁部６と、各短辺側土台部５に対してそれぞれ回動可能に連結された短辺側側壁部７とを備えている。本実施形態の底壁構成部２、長辺側側壁部６、及び、短辺側側壁部７は、ポリプロピレンにより構成されている。尚、本実施形態では、短辺側土台部５が第１土台部に相当し、長辺側土台部４が第２土台部に相当し、短辺側側壁部７が第１側壁部に相当し、長辺側土台部４が第２側壁部に相当する。
【００１９】
また、図１、図３等に示すように、長辺側側壁部６、及び、短辺側側壁部７は、それぞれ長辺側土台部４、及び、短辺側土台部５の上方に立設される起立位置と、底壁部３の中央部側に寝かされる寝かせ位置との間を回動変位可能に構成されている。また、長辺側土台部４の底壁部３からの突出長は、短辺側土台部５の底壁部３からの突出長よりも低くなっており、長辺側側壁部６を回動可能に支持するための長辺側軸受部８の形成位置も、短辺側側壁部７を回動可能に支持するための短辺側軸受部９の形成位置よりも下方に位置している。さらに、短辺側側壁部７の横幅は、底壁構成部２の短手幅の長さとほぼ同じに構成され、長辺側側壁部６の横幅は、一対の短辺側土台部５間の距離とほぼ同じに構成されている。
【００２０】
このため、本実施形態では、全ての長辺側側壁部６、及び、短辺側側壁部７が起立位置とされた組立状態（図１参照）にある折畳み容器１を、全ての長辺側側壁部６、及び、短辺側側壁部７が寝かせ位置とされた折畳み状態（図３参照）とする場合には、図５等に示すように、一対の長辺側側壁部６を先に寝かせ位置へと変位させてから、短辺側側壁部７を寝かせ位置へと変位させる構成となっている。そして、図３に示すように、折畳み容器１が折畳み状態とされた場合には、寝かせ位置とされた長辺側側壁部６が底壁部３の上方に重なるとともに、寝かせ位置とされた短辺側側壁部７が長辺側側壁部６の上方に重なるようになっている。
【００２１】
尚、一対の長辺側土台部４間の距離は、長辺側側壁部６（後述の長辺側ベース板３１）の上下幅の２倍の長さよりも長くなっている。このため、一対の長辺側側壁部６の寝かせ位置の高さが揃うようになっている。さらに、一対の短辺側土台部５間の距離は、短辺側側壁部７（後述の短辺側ベース板１１）の上下幅の２倍の長さよりも若干長くなっている。このため、一対の短辺側側壁部７の寝かせ位置の高さが揃うようになっている。
【００２２】
また、図３等に示すように、本実施形態では、短辺側土台部５の両端部から長辺側土台部４の上方に突出し、長辺側土台部４の上面側と連結されている補助凸部１０が設けられている。補助凸部１０により、短辺側土台部５の両端部の強度の向上等が図られている。加えて、図１３等に示すように、寝かせ位置とされた一対の長辺側側壁部６は、両方とも底壁部３の上面に当接して支持され、寝かせ位置とされた一対の短辺側側壁部７は、それぞれ寝かせ位置とされた一対の長辺側側壁部６に当接（又は近接）して、互いに同じ高さ位置で支持されるように構成されている。また、図３等に示すように、短辺側土台部５、及び、補助凸部１０の上辺部（上面）は、寝かせ位置にある短辺側側壁部７よりも上方に位置している。
【００２３】
図１、図８等に示すように、各短辺側側壁部７は、正面視略矩形状の短辺側ベース板１１と、短辺側ベース板１１の上辺部に沿って、短辺側ベース板１１から外方に突出する短辺側上枠部１２と、短辺側ベース部の下辺部から外方に突出する短辺側下辺リブ１３と、短辺側下辺リブ１３の下面から下方に突出し、短辺側軸受部９に軸支される短辺側ヒンジ部１４とを備えている。短辺側上枠部１２は、短辺側ベース板１１の上辺部から外方に突出する短辺側上辺リブ１２ａと、短辺側上辺リブ１２ａから下方に所定距離を隔てた位置において短辺側上辺リブ１２ａと平行して延びる短辺側上枠下段リブ１２ｂと、短辺側上辺リブ１２ａの下面と、短辺側上枠下段リブ１２ｂの上面との間を連結する短辺側上枠補強リブ１２ｃとを備えている。尚、本実施形態では、短辺側ベース板１１が、第１側壁部を構成する板状体に相当する。
【００２４】
加えて、図５、図７、図８等に示すように、短辺側側壁部７の両側部の上端部を含む上部には、短辺側ベース板１１の内面からそれぞれ内方に突出する支持突部としての係合壁１５が設けられている。各係合壁１５には、短辺側側壁部７の横幅方向において貫通する係合孔部１６が設けられている。
【００２５】
さらに、図１、図１０〜図１２等に示すように、短辺側ベース板１１には、各係合壁１５、及び、短辺側上枠部１２に近接する位置において、短辺側ベース板１１に対して略コ字状のスリットが形成されることによって、当該スリットで囲まれた部位により構成された弾性片１８と、弾性片１８の先端部から内方に突出する係止突起１９とを備える弾性係止片１７が設けられている。各弾性片１８は、短辺側側壁部７の横幅方向中央部側が短辺側ベース板１１と連結されており、短辺側側壁部７の厚み方向において弾性変形可能に構成されている。弾性片１８の内面は、短辺側ベース板１１の内面と面一であり、係止突起１９は、短辺側ベース板１１の内面よりも内方に突出している。
【００２６】
図１１等に示すように、係止突起１９は、水平断面鋭角状をなしており、係止突起１９のうち、短辺側側壁部７の横幅方向中央部側の面は、短辺側側壁部７の側辺部側に向けて内方に傾斜して延び、係止突起１９のうち短辺側側壁部７の側辺部側の面は、短辺側ベース板１１に対して直交する方向に延びている。さらに、図８等に示すように、弾性係止片１７の外面側には、弾性係止片１７の上辺部、及び、下辺部に沿って延びる係止補強リブ２０が設けられている。加えて、図１１等に示すように、係止突起１９の裏面側（外面側）は、肉抜き形状とされており、前記係止補強リブ２０は、係止突起１９の裏面側にも連結されている。尚、本実施形態の係止補強リブ２０の弾性片１８及び係止突起１９の裏面からの突出長は、弾性係止片１７の短辺側ベース板１１との連結部からの突出方向中間位置を含む部位が、弾性係止片１７の付根部側の部位よりも短く、弾性係止片１７の付根部側の部位よりも、弾性係止片１７の先端部側の部位の方が長くなっている。
【００２７】
図８に示すように、短辺側ヒンジ部１４は、短辺側下辺リブ１３の下面から下方に突出するヒンジ本体２１と、短辺側側壁部７の横幅方向におけるヒンジ本体２１の両側面の下端部から側方に突出する一対の軸突部２２とを備えている。尚、短辺側側壁部７の外面側には、各弾性係止片１７の短辺側側壁部７の横幅方向中央部側において、短辺側上枠部１２と、短辺側下辺リブ１３との間を連結する短辺側縦リブ２３が設けられている。さらに、短辺側ベース板１１は、短辺側上枠部１２と、短辺側下辺リブ１３と、左右一対の短辺側縦リブ２３とで囲まれる範囲において、外方に膨出する膨出部２４が設けられている。膨出部２４の外周部は傾斜して延びており、膨出部２４の上面と、短辺側上枠部１２との間、膨出部２４の下面と短辺側下辺リブとの間が適宜リブによって連結されている。本実施形態では、短辺側上枠部１２、短辺側下辺リブ１３、及び、短辺側縦リブ２３の外側端縁、並びに、膨出部２４の外面により、短辺側側壁部７の外面が構成されている。また、短辺側ベース板１１のうち膨出部２４以外の部位の内面により、短辺側側壁部７の内面が構成されている（図５等参照）。尚、短辺側側壁部７の外面と内面との間が短辺側側壁部７の厚みである。
【００２８】
図１、図９等に示すように、各長辺側側壁部６は、正面視略矩形状の長辺側ベース板３１と、長辺側ベース板３１の上辺部に沿って、長辺側ベース板３１から外方に突出して設けられる長辺側上枠部３２と、長辺側ベース板３１の下辺部から外方に突出する長辺側下辺リブ３３と、長辺側下辺リブ３３の下面から下方に突出し、長辺側軸受部８に軸支される長辺側ヒンジ部３４とを備えている。尚、長辺側上枠部３２についても、短辺側上枠部１２と同様に、上下２列のリブと、当該上下のリブ間を連結するリブとを備えている。さらに、長辺側ベース板３１は、短辺側ベース板１１と同様に、その中央部を含む範囲において外方に膨出する膨出部を備えている。加えて、長辺側ヒンジ部３４は、短辺側ヒンジ部１４と同様に、ヒンジ本体３５、及び、軸突部３６を備えている。尚、本例では、軸突部３６がヒンジ本体３５の片側面側にのみ設けられる長辺側ヒンジ部３４も存在する。また、本実施形態では、長辺側ヒンジ部３４（特に軸突部３６）が軸部を構成する。
【００２９】
また、長辺側側壁部６の両側部の上部には、長辺側ベース板３１の外面から突出する係合突起３７が設けられている。そして、図５のように、短辺側側壁部７を起立位置へと変位させた後、図１のように、長辺側側壁部６を起立位置へと変位させることで、図２に示すように、係合突起３７が、短辺側側壁部７の係合壁１５に設けられた係合孔部１６に挿入されるとともに、図１、図１１等に示すように、係合突起３７の周辺の長辺側側壁部６の外面が、係合壁１５に当接、又は、近接するようになっている。当該構成により、起立位置にある長辺側側壁部６の外側への傾倒変位が防止されるとともに、長辺側側壁部６と、短辺側側壁部７との間の上下方向における位置ずれが防止されるようになっている。
【００３０】
さらに、長辺側側壁部６が起立位置とされる直前に、長辺側側壁部６の外面の側辺部が、短辺側側壁部７の弾性係止片１７の係止突起１９と接触する。このとき、弾性係止片１７の弾性片１８が外方に弾性変形することにより、長辺側側壁部６をそのまま起立位置へと変位させることができるようになっている。そして、長辺側側壁部６が係止突起１９を越えて起立位置へと変位することで、弾性係止片１７が自身の弾性力で元の姿勢に復帰し、係止突起１９が長辺側側壁部６の長辺側ベース板３１の内面に当接、又は、近接するようになっている。当該構成により、起立位置にある長辺側側壁部６の内方への傾倒変位が防止されるようになっている。
【００３１】
尚、図５に示すように、本実施形態では、短辺側側壁部７の両側部において短辺側ベース板１１の内面から係合壁１５のみが内方に突出するという構成ではなく、短辺側ベース板１１の内面の両側部において上下幅方向の全体から内方に若干突出したベース凸部３８が設けられ、ベース凸部３８から係合壁１５が突出するようになっている。短辺側側壁部７の横幅方向において、ベース凸部３８の横幅は、係合壁１５の横幅よりも広く、本実施形態では、長辺側土台部４の厚みと同じ長さとなっている。
【００３２】
その一方で、図９に示すように、長辺側側壁部６の係合突起３７は、長辺側ベース板３１の側辺部よりも若干側方に突出している。尚、本実施形態の係合突起３７は、メインとなる係合突起３７と、該係合突起３７よりも下方に位置し、長辺側側壁部６の側辺部側の面、及び、下面が、長辺側側壁部６の外面側に設けられたリブと連結されているサブの係合突起３７とが存在するが、長辺側ベース板３１の側辺部よりも側方に突出するのはメインの係合突起３７に関する構成となっている。
【００３３】
これに対し、図５に示すように、短辺側側壁部７のうち長辺側ベース板３１の側辺部よりも側方に突出した係合孔部１６に対応する部位については、かかる係合突起３７を係合孔部１６に挿入させるべく、ベース凸部３８が省略されるようになっている。これにより、短辺側側壁部７の両側部の強度向上が図られるとともに、係合壁１５の突出長を大きくすることなく、係合突起３７の横幅を極力大きくしつつ、係合孔部１６の周辺部の強度低下を抑制することができる。尚、短辺側土台部５の内面側には、長辺側ベース板３１の側辺部よりも若干側方に突出している係合突起３７を一対の短辺側土台部５の間に挿入させるための凹部が設けられている。
【００３４】
図１、図４、図１３に示すように、底壁構成部２の底壁部３は、略矩形板状の底板部４１と、底板部４１のうち、組立状態にある折畳み容器１同士を上下に積み重ねた（段積みした）場合に、下側の折畳み容器１の側壁部６、７の上辺部に当接して支持される部位である外周対応部４２（底壁部３のうち上面側において長辺側土台部４、及び、短辺側土台部５が設けられている部位）よりも内周側の部位から下方に突出する下面視略格子状の支持部４３とを備えている。当該構成により、組立状態にある折畳み容器１を段積みした場合に、上側の折畳み容器１の支持部４３が、下側の折畳み容器１の側壁部６、７の内周側に挿入されるとともに、上側の折畳み容器１の外周対応部４２が、下側の折畳み容器１の側壁部６、７の上辺部に当接して支持されるようになっている。尚、図１３等に示すように、本実施形態の底板部４１は、外周対応部４２が、その内周側の部位よりも上方に位置するように構成されている。また、本実施形態では、長辺側土台部４、及び、短辺側土台部５の内側空間を成形する金型が、外周対応部４２を介して下方に型抜きされることから、外周対応部４２は、基本的に、リブ状に残存するのみとなっている（図４等参照）。
【００３５】
さらに、図１４に示すように、折畳み状態にある折畳み容器１を段積みした場合には、上側の折畳み容器１の支持部４３が、下側の折畳み容器１の一対の短辺側土台部５の間、かつ、各短辺側土台部５の両端部に対応して設けられた補助凸部１０の間の空間（図３参照）に挿入されるとともに、上側の折畳み容器１の外周対応部４２が、下側の折畳み容器１の短辺側土台部５の上辺部に当接して支持されるようになっている。特に、本実施形態では、折畳み状態にある折畳み容器１を段積みした状態において、上側の折畳み容器１の支持部４３の下面と、下側の折畳み容器１の寝かせ位置とされている短辺側側壁部７のうち上側を向いている外面とが近接（或いは当接）するように構成されている。
【００３６】
図５、図６等に示すように、長辺側軸受部８は、上方、及び、底壁部３の内周側に開口し、長辺側ヒンジ部３４のヒンジ本体３５を挿入可能な挿入部４４と、長辺側ヒンジ部３４の軸突部３６を挿入可能に構成され、軸突部３６の底壁部３の内周側への変位を規制するとともに、軸突部３６の回動変位を許容する軸支部４５とを備えている。また、軸支部４５には、軸支部４５に挿入された軸突部３６の軸支部４５からの抜けを防止する抜け止め突起４６が設けられている。本実施形態では、各長辺側土台部４において、長辺側軸受部８が４つずつ設けられている。
【００３７】
尚、短辺側軸受部９についても、長辺側軸受部８と同様に、挿入部４４、軸支部４５、及び、抜け止め突起４６を備えている。本実施形態では、各短辺側土台部５において、短辺側軸受部９が４つずつ設けられている。
【００３８】
さて、図４、図５等に示すように、底壁構成部２には、長辺側土台部４に対応して、短辺側側壁部７を寝かせ位置とした場合に、短辺側側壁部７の係合壁１５を挿入可能な収容部５１が設けられている。本実施形態の収容部５１は、底壁構成部２の外周側に開口するとともに、底壁構成部２を上下に貫通するようにして設けられている。係合壁１５の厚みは、長辺側土台部４の厚みよりも小さく構成され、係合壁１５が収容部５１に収容された状態では、係合壁１５の外面と、長辺側土台部４の外面とが略面一とされるようになっている。
【００３９】
また、図５に示すように、長辺側土台部４の上面のうち、寝かせ位置とされた短辺側側壁部７（ベース凸部３８）が載置される部位については、その他の部位よりも若干下方に位置する段部５２となっている。本実施形態では、短辺側側壁部７が寝かせ位置とされることで、短辺側側壁部７の内面側（ベース凸部３８）が、長辺側土台部４の上面（段部５２）に当接して支持されるとともに、収容部５１に挿入された係合壁１５の突出方向先端部（短辺側側壁部７が寝かせ位置にある場合には下側を向いている辺部）が、底壁部３の底板部４１（外周対応部４２）の下面と面一、又は、当該下面よりも若干上方に位置するようになっている（図４、図１４参照）。このため、図１５に示すように、組立状態の折畳み容器１の上側に、折畳み状態の折畳み容器１を載せた場合、上側の折畳み容器１の寝かせ位置とされた短辺側側壁部７の係合壁１５と、下側の折畳み容器１の側壁部６、７の上辺部とが当接、又は、近接するものの、上側の折畳み容器１の係合壁１５が、下側の折畳み容器１の側壁部６、７によって上方に押圧され、上側の折畳み容器１の短辺側側壁部７が、上側の折畳み容器１の底壁構成部２等に対して上方に相対変位させられてしまうといった事態が回避されるようになっている。
【００４０】
加えて、図１３に示すように、本実施形態では、寝かせ位置とされた短辺側側壁部７の外面（上側を向いている面）、及び、内面（下側を向いている面）が、略水平方向に延びている。また、寝かせ位置とされた長辺側側壁部６の外面、及び、内面についても略水平方向に延びており、寝かせ位置とされた短辺側側壁部７の内面は、寝かせ位置とされた長辺側側壁部６の外面と近接するようになっている。尚、寝かせ位置とされた短辺側側壁部７の内面が、寝かせ位置とされた長辺側側壁部６の外面と当接するように構成することも可能である。但し、寝かせ位置とされた短辺側側壁部７の係合壁１５の突出方向先端部は、外周対応部４２の下面よりも上方に位置したとしても、外周対応部４２の下面からの距離が、底壁構成部２の各部位（収容部５１等）を構成する壁部の肉厚未満とされる。
【００４１】
また、図５等に示すように、係合壁１５において、係合孔部１６の周縁部の厚みは、その他の部位の厚みよりも厚く構成されている。さらに、図１１に示すように、本実施形態では、係合壁１５のうち係合孔部１６の周縁部の厚み（Ｗ１）は、短辺側側壁部７を構成する短辺側ベース板１１の厚み（Ｗ２）よりも大きく構成されている。加えて、図５、図６に示すように、長辺側土台部４において、各収容部５１と、長辺側土台部４の両端部（短辺側土台部５）との間にも、長辺側軸受部８が設けられるようになっている。本実施形態では、当該長辺側軸受部８と、収容部５１とが近接配置されており、収容部５１と、長辺側軸受部８との間の距離が、収容部５１の横幅よりも短く、かつ、長辺側軸受部８の横幅よりも短くなっている。
【００４２】
また、図８、図１０〜図１２に示すように、本実施形態の短辺側側壁部７は、弾性係止片１７の折畳み容器１の外方に配置され、折畳み容器１の外方に向けて一定量の変形を行った弾性係止片１７と当接し、それ以上の変形を規制するストッパー部５３を備えている。より具体的に説明すると、短辺側側壁部７には、短辺側側壁部７の外面側の両側部において、短辺側上枠部１２の外側端縁と、短辺側下辺リブ１３の外側端縁との間を連結するコーナー壁部５４が設けられており、ストッパー部５３は、コーナー壁部５４のうち、上下方向において弾性係止片１７に対応する部位から短辺側側壁部７の横幅方向中央部側に突出している。図１１に示すように、ストッパー部５３は、コーナー壁部５４よりも厚肉に構成され、コーナー壁部５４よりも折畳み容器１の内方（弾性係止片１７側）に突出する格好となっている。
【００４３】
組立状態にある折畳み容器１を折畳み状態とする際には、折畳み容器１の内側から弾性係止片１７を外方に押圧する。そして、係止突起１９が長辺側側壁部６と当接しなくなる位置まで弾性片１８を弾性変形させることで、弾性係止片１７による長辺側側壁部６の内方への傾倒変位を規制するロック状態が解除され、長辺側側壁部６を寝かせ位置側へと変位可能となる。また、弾性係止片１７を外方に弾性変形させた際に、弾性片１８が一定量の変形を行った場合、ストッパー部５３が、弾性係止片１７の先端部側の外面と当接するようになっている。勿論、ストッパー部５３と弾性係止片１７とが当接する状態では、弾性係止片１７のロック状態が解除された状態とされている上、弾性片１８が弾性限界を超えない程度の変形に収まるようになっている。
【００４４】
加えて、図１０、図１１等に示すように、弾性片１８は、短辺側ベース板１１と平行して延び、また、ストッパー部５３についても、短辺側ベース板１１と平行して延びていることから、短辺側側壁部７の厚み方向において、弾性係止片１７の先端部の上下幅方向中央部を含む部位と、ストッパー部５３とが重複して配置される。これにより、弾性変形された弾性係止片１７の先端部側の外面と、ストッパー部５３とが当接し得るように構成されている。さらに、図１０に示すように、ストッパー部５３の上下幅は、弾性係止片１７の上下幅よりも短く、弾性係止片１７が外方に一定量弾性変形した場合に、ストッパー部５３は、弾性片１８の外面のうち、弾性係止片１７の外面側に設けられた上下一対の係止補強リブ２０の間の部位に当接する（係止補強リブ２０には当接しない）ようになっている。
【００４５】
また、図８、図１１、図１２等に示すように、短辺側側壁部７には、弾性係止片１７と、ストッパー部５３との間の空間を短辺側側壁部７の側方に開口させる開口部５５が設けられている。本実施形態では、弾性係止片１７の上辺部、及び、下辺部とほぼ同じ高さ位置において、コーナー壁部５４と、短辺側ベース板１１との間を連結するコーナー補強リブ５６が設けられるとともに、当該上下一対のコーナー補強リブ５６と、コーナー壁部５４と、短辺側ベース板１１とによって前記開口部５５が区画され、弾性係止片１７と、ストッパー部５３との間の空間と連通するようになっている。また、当該開口部５５は、係合壁１５に設けられた係合孔部１６と同じく、短辺側側壁部７の横幅方向に沿って（水平に）延在している。
【００４６】
加えて、図１６に示すように、弾性係止片１７と、ストッパー部５３とが対向している部位（弾性係止片１７の先端部側の外面、及び、ストッパー部５３の内面）は、短辺側側壁部７を成形するための金型装置５８において、係合壁１５の外面側や、係合壁１５を貫通する係合孔部１６等を成形する金型５９によって成形される。
【００４７】
以上詳述したように、本実施形態によれば、短辺側側壁部７は、短辺側側壁部７の厚み方向において弾性変形可能に構成された弾性係止片１７の折畳み容器１の外方に配置され、折畳み容器１の外方に向けて一定量の変形を行った弾性係止片１７と当接し、それ以上の変形を規制するストッパー部５３を備えている。当該ストッパー部５３により、弾性係止片１７の変形量が制限されることから、弾性係止片１７を比較的弾性変形させ易い強度にしつつも、弾性係止片１７を変形させ過ぎることに起因して弾性係止片１７が破損したり、塑性変形してしまったりすることを防止することができる。従って、弾性係止片１７の操作性の低下を回避しつつ、弾性係止片１７の耐久性を向上させることができる。結果として、弾性係止片１７を操作する作業者の力加減の強弱に関わらず、弾性係止片１７を比較的スムースに操作することができ、折畳み容器１を折畳む際の作業性の向上等を図ることができる。
【００４８】
また、ストッパー部５３は、弾性係止片１７の先端部側の外面と当接可能に設けられている。このため、弾性係止片１７の変形を効果的に防止することができる。つまり、ストッパー部５３が弾性係止片１７の外面の付根部側と当接可能に構成される場合のように、弾性係止片１７の付根部側の変形は規制できるものの、先端部側の変形が規制できないといった事態を回避することができる。さらに、弾性係止片１７の押圧操作は、弾性係止片１７の内面の先端部側が押圧されることが考えられることから、その裏面側の部位をストッパー部５３で支持することで、弾性係止片１７の変形をより効果的に規制することができる。
【００４９】
さらに、短辺側側壁部７には、弾性係止片１７と、ストッパー部５３との間の空間を短辺側側壁部７の側方に開口させる開口部５５が設けられている。このため、係合壁１５の外面側や、係合壁１５を貫通する係合孔部１６等を成形する金型５９によって、弾性係止片１７と、ストッパー部５３とが対向している部位（弾性係止片１７の外面の一部、及び、ストッパー部５３の内面）を好適に成形することができる（係合壁１５の外面側等を成形する金型５９において、弾性係止片１７と、ストッパー部５３とが対向している部位を成形する部位を設けることができる）。従って、比較的簡単な金型構造でストッパー部５３を具備する短辺側側壁部７を確実に形成することができる。
【００５０】
加えて、本実施形態では、短辺側側壁部７の厚み方向において、弾性係止片１７の先端部の少なくとも一部と、ストッパー部５３とが重複して配置されている。このため、短辺側側壁部７の外面側から別の部材が弾性係止片１７の先端部に接触するといった事態を抑止することができる。従って、弾性係止片１７の保護を図ることができる。さらに、組立状態にある折畳み容器１を折畳み状態とする際に、長辺側側壁部６の折畳み容器１の内方への変位を規制している弾性係止片１７のロック状態を解除するべく、当該弾性係止片１７を折畳み容器１の外方に押圧操作する場合において、例えば、親指で弾性係止片１７を押圧操作する場合に、ストッパー部５３のうち弾性係止片１７と当接して支持可能な支持面とは反対側の裏面（外面）に対して、人差し指等を掛けることができる。これにより、弾性係止片１７を押圧操作し易くなり、折畳み容器１の折畳み作業性の向上を図ることができる。
【００５１】
尚、上記実施形態の記載内容に限定されず、例えば次のように実施してもよい。勿論、以下において例示しない他の応用例、変更例も当然可能である。
【００５２】
（ａ）上記実施形態において、係合壁１５に設けられた係合孔部１６、及び、係合孔部１６に挿入される係合突起３７を省略することも可能である。但し、折畳み容器１の組立状態の安定化等を図るべく、係合孔部１６、及び、係合突起３７を設けることが望ましい。加えて、係合突起３７を挿入して係合させる係合孔部１６が係合壁１５を貫通しない構成としてもよいが、貫通させることで、係合突起３７を挿入して係合させる部位を、係合壁１５の外面等を成形する金型５９で成形することができ、金型構造の複雑化を抑止することができる。
【００５３】
また、上下方向における弾性係止片１７の配置は特に限定されるものではないが、ロック状態の安定化や、ロック状態を解除する際の操作性を鑑みると、極力上側に設けることが望ましい。加えて、弾性係止片１７の係止突起１９は肉抜き形状とされているが、そのような凹部を設けないように構成してもよい。さらに、上下方向における係合壁１５の配置についても特に限定されるものではないが、折畳み容器１の組立状態の安定化等を図るべく、極力上側に設けることが望ましい。加えて、上記実施形態では、係合壁１５において厚みが部分的に異なるように構成されているが、いずれも同じ厚みであるように構成してもよい。
【００５４】
また、上記実施形態では、ストッパー部５３は、弾性係止片１７の先端部側と当接可能に構成されているが、かかる構成に代えて、又は、加えて、例えば、弾性係止片１７の付根部側（或いは、突出方向中間部位）と当接可能に構成してもよい。さらに、上記実施形態では、弾性係止片１７の弾性片１８は、短辺側側壁部７の横幅方向中央部側の端部が短辺側ベース板１１と連結される構成となっているが、弾性片１８の上端部、又は、下端部が短辺側ベース板１１と連結されるような構成としてもよい。加えて、上記実施形態において、長辺側側壁部６の内面側に対し、弾性係止片１７の係止突起１９を収容可能とする凹部を設けることとしてもよい。
【００５５】
（ｂ）上記実施形態では、寝かせ位置とされた短辺側側壁部７の係合壁１５の突出方向先端部（短辺側側壁部７が寝かせ位置にある場合には下側を向いている辺部）が、底壁部３の底板部４１（外周対応部４２）の下面と面一、又は、当該下面よりも若干上方に位置するように構成されているが、寝かせ位置とされた短辺側側壁部７の係合壁１５の突出方向先端部が、底壁構成部２の支持部４３の下面よりも下方に位置することがないように構成されていればよい。但し、収容部５１から下方に突出した係合壁１５に対して別部材が接触するといった事態を抑止するべく、寝かせ位置とされた短辺側側壁部７の係合壁１５は、底壁構成部２のうち収容部５１が設けられている部位の下面である外周対応部４２の下面と面一、或いは、当該下面よりも若干上方に位置することが望ましい。
【００５６】
（ｃ）上記実施形態では、短辺側土台部５が長辺側土台部４よりも上方にまで突出し、折畳み容器１を折畳み状態から組立状態とする際に、一対の短辺側側壁部７を先に起立位置とさせてから、長辺側側壁部６を起立位置とさせる構成となっているが、長辺側土台部を短辺側土台部よりも上方にまで突出させ、折畳み容器を組立状態とする際には、一対の長辺側側壁部を先に起立位置とさせてから、短辺側側壁部を起立位置とさせるような構成としてもよい。当該構成を採用する場合、長辺側側壁部に係合壁、及び、弾性係止片が設けられ、短辺側土台部に対応して収容部が設けられる。
【００５７】
また、上記実施形態では、寝かせ位置とされた一対の長辺側側壁部６がともに底壁部３の上面に当接し、高さ位置が同じとなるように構成されているが、一対の長辺側側壁部６のうち寝かせ位置とされた一方の長辺側側壁部６の上側に、他方の長辺側側壁部６が寝かせ位置とされて、長辺側側壁部６同士が上下に重なるように構成してもよい。
【００５８】
加えて、上記実施形態において、長辺側ヒンジ部３４（長辺側軸受部８）、及び、短辺側ヒンジ部１４（短辺側軸受部９）の数、配置、及び、横幅等については特に限定されるものではなく、適宜変更可能である。但し、長辺側土台部４に設けられた収容部５１の周辺部の強度等を高めるべく、少なくとも収容部５１の一側方の近傍に、長辺側軸受部８が設けられることが望ましい。また、例えば、図１７に示すように、長辺側土台部４の延在方向において収容部５１の両側方の近傍に長辺側軸受部８を設けることとしてもよい。
【００５９】
（ｄ）上記実施形態での折畳み容器１はポリプロピレンにより構成されているが、ポリエチレン、ＰＥＴ、ポリアミド等その他の樹脂材料により構成されることとしてもよい。
【符号の説明】
【００６０】
１…折畳み容器、２…底壁構成部、３…底壁部、４…長辺側土台部、５…短辺側土台部、６…長辺側側壁部、７…短辺側側壁部、８…長辺側軸受部、９…短辺側軸受部、１５…係合壁、１６…係合孔部、１７…弾性係止片、３７…係合突起、５１…収容部、５３…ストッパー部、５５…開口部、５９…金型。
【図１】
2019189243.tif 000003
【図２】
2019189243.tif 000004
【図３】
2019189243.tif 000005
【図４】
2019189243.tif 000006
【図５】
2019189243.tif 000007
【図６】
2019189243.tif 000008
【図７】
2019189243.tif 000009
【図８】
2019189243.tif 000010
【図９】
2019189243.tif 000011
【図１０】
2019189243.tif 000012
【図１１】
2019189243.tif 000013
【図１２】
2019189243.tif 000014
【図１３】
2019189243.tif 000015
【図１４】
2019189243.tif 000016
【図１５】
2019189243.tif 000017
【図１６】
2019189243.tif 000018
【図１７】
2019189243.tif 000019